(57)【要約】【目的】  この発明は、噴水流発生器から噴上げる噴水流に乗って支えられ、水中（液中）に滞留しながら横向きに回転する横軸水中ゴマ装置である。【構成】  球状のコマ本体２に、その中心を通るように横軸４を通し、その横軸に全体の水平バランスをとるための付属物５を取付ける。  更に、コマ本体・横軸・付属物をあわせた全体の平均比重を、水よりも適度に大きくなるように調節して水中に浸漬し、下方から噴水流発生器１でコマ本体を噴き上げると、その噴水流に乗って横軸を水平に保ちながら水中に滞留する。  このコマ本体に、回転を与えるための回転用突起物３や回転用溝８を設け、同様の噴水流を噴き上げると、横軸を水平に保ちながら水中に滞留した状態で横向きに回転する。【選択図】  図１
2005090477.tif 000002
【特許請求の範囲】
【請求項１】
（イ）  球体（コマ本体）に対しそのほぼ中心を通る軸（横軸）を通す。
（ロ）  横軸の適当な位置に付属物を取り付け、それらを水中に浸したときに横軸が水平に近い状態を保てるように重量バランスを調節し、更に、その物体全体の平均比重が水（又は浸漬する液体）よりも若干大きくなるように調節する。
（ハ）  その物体を、横軸を横向き（水平方向）にしたまま水中（液中）に浸漬させ、沈下しようとする物体のコマ本体部に対し、下方から上方に向けて噴水流を噴き上げる。
（ニ）  この時、物体はコマ本体部が噴水流によって支えられている為、沈下（降下）も浮上（上昇）も横振れもしない位置に安定滞留しており、且つ、付属物により水平バランスが調節されている為、横軸は横向き（水平に近い状態）を保つ。
（ホ）  この状態にある（又はこの条件を満す）物体のコマ本体の周辺部に、一定方向の回転を与えるために形状を工夫した回転用突起物や回転用溝等を設け、同様に噴水流を噴き上げると、物体は横軸を横向きにしたまま回転する。
以上の如く構成された、横軸水中ゴマ装置。
【請求項２】
請求項１の横軸水中ゴマ装置の付属物に、アクセサリーや装飾品等を付加したインテリア玩具。
【発明の詳細な説明】
【発明の詳細な説明】
この発明は、噴水流発生器から噴き上げる噴水流に乗って支えられ、水中（液中）に滞留しながら横向きに回転する横軸水中ゴマ装置である。
構造は、球状のコマ本体に横軸を通し、横軸には、水平バランスを取るための付属物を設け、コマ本体には、回転を与えるための回転用突起物や回転用溝を設けたものである。
横軸水中ゴマ全体の平均比重は、浸漬する水（液体）よりも大きく、そのまま放置すれば水底に沈下するが、一方、過度に大きくもなく、上方に向けて噴き上げる適当な勢いの噴水流によって、沈下を阻止できる程度の比重でなければならない。
また、コマ本体は、球形または球形に近い形状が望ましく、水流がコマ本体の周辺を上方に向けて通過してゆく時に、ベルヌーイの定理に基づきコマ本体が横に飛び出ないこと、そしてそれが横軸を中心にして回転している状態でも常時その条件を保てるような形状であることが要求される。
ここでは、簡単な構造を一例として挙げ、以下に説明する。
まず、コマ本体２となる球体に横軸４を通し、その横軸に付属物５を取付け、水に浸漬したときに水平バランスがとれるように付属物の位置や重さを調節し、同時に、コマ本体・横軸・付属物を含む横軸水中ゴマ全体の平均比重が、水より重くなるように調節する。
これを水中に浸漬し、下方に設置した噴水流発生器１によりコマ本体に適度な噴水流を噴き上げると、コマは軸を横向きに保ったまま、上下方向にも横方向にも安定した状態を保ちながら、水中（液中）に滞留する。
この時、上下方向は、コマ自身の重さによる下向きの力と、噴水流によってコマを押し戻す上向きの力とが均衡して安定し、また、横方向は、コマ本体の表面（側面）を通過する水流によって生じる水圧差が均衡するので（ベルヌーイの定理）安定した状態が保たれる。
この様なコマ本体の周辺部の適当な箇所に、一定方向の回転を与える為の回転用突起物３を設けて、同様の噴水流を噴き上げると回転力を生じ、横軸を軸として、水中に滞留したままコマの様に回転する。〔図１〕
ここで、回転を与える為の回転用突起物について説明する。
コマ本体を、その中心を通り、横軸に直角に交わる平面で切った断面図において、右半分（右半球）と左半分（左半球）の周辺の両側に下方から均等に水を通過させた場合に、常に一方側の抵抗が大きく、他方側の抵抗が小さくなるような形状を有する回転用突起物を円周上に複数設けると、抵抗の大きい半球側が反対側の半球よりも相対的に上方へ押し上げられようとするため、モーメントを生じ、その力が連続的に加えられてコマ本体は回転する。
回転用突起物の形状について一例を挙げ、図解説明する。
半椀形物体を円周上に取付ける場合、その凹部が右半球側で常に下側を向くように取付けると、右半球側が左半球側に比べ、常に水に対する抵抗が大きくなるので、図においては反時計回りの方向に回転する。〔図２〕
これは、風力計の原理に似ているが、風力計と異なる点は以下の４点である。
（イ）  流体が水または液体である。
（ロ）  回転体が球体であり、その表面付近を通過する流体を捕捉して作動する。
（ハ）  回転軸が固定されていない。
（ニ）  用途が異なる。
回転用突起物の形状は、半椀形に限らず、同様の作用をする（一方向の回転を与える）形状であれば、どのようなものでもよい。
又、回転用突起物の代りに回転用溝８を設けてもよい。〔図３〕
ここで、付属物について説明する。
付属物は、横軸に取付けて水中で全体の水平バランスをとるという条件を満していれば、数や比重や形状などに制限はない。
付属物は、横軸に固定してもよいし、軸受などを設けて横軸に対して可動（回転）としてもよい。
また、付属物としてアクセサリーや装飾品等を取付けると、インテリア玩具として機能する。
インテリア玩具としての実施例（実験例）を以下に示す。
コマ本体および横軸に連動するように設けられた車輪９に取付けられているペダル１０に、脚が可動な人形１１の足先を着けた。
軸受機構１２を備えた支え棒１３に横軸を通し、支え棒の一端（下部）に上下決定用錘１４を、他の一端（上部）に上下決定用浮き１５を取付けて水中での上下方向を決定させ、更に人形固定ハンドル１６を取付けた。
この人形固定ハンドルに人形を固定し、人形の上半身および胴体が上下左右に振れないようにした。
そして、コマ本体を挟んだ反対側の横軸に、水平バランス用錘１７を設け、水中での全体の水平バランスがとれるように調節した。
これを水に浸漬し、下方から噴水流を送ると、コマ本体に連動して車輪が回転し、さらに車輪に取付けられているペダルに連動して人形の脚が動き、あたかも人形が水中で一輪車をこいでいるような動作を行った。
この様に、本装置はインテリア玩具として機能した。〔図４〕〔図５〕
【図面の簡単な説明】
【図１】  本発明の正面図
【図２】  本発明のコマ本体及び回転用突起物の形状例を示す部分断面図
【図３】  本発明のコマ本体及び回転用溝の形状例を示す部分断面図
【図４】  本発明の他の実施例を示す正面図
【図５】  本発明の他の実施例を示す斜視図
【符号の説明】
１は噴水流発生器
２はコマ本体
３は回転用突起物
４は横軸
５は付属物
６は水（液体）
７は水槽
８は回転用溝
９は車輪
１０はペダル
１１は人形
１２は軸受機構
１３は支え棒
１４は上下決定用錘
１５は上下決定用浮き
１６は人形固定ハンドル
１７は水平バランス用錘
【図１】
2005090477.tif 000003
【図２】
2005090477.tif 000004
【図３】
2005090477.tif 000005
【図４】
2005090477.tif 000006
【図５】
2005090477.tif 000007